(57)【要約】【課題】小型化に有利な紙幣回収機構を備えた遊技台用台間機を提案すること。【解決手段】遊技台用台間機１の紙幣識別ユニット１０は、紙幣挿入口１２から挿入された紙幣Ｐを識別する紙幣識別機１５と、この後側に配置された紙幣収納トレイ１６とを有している。紙幣収納トレイ１６は、スライド式トレイ支持枠３１によって、紙幣識別機１５の側方を通って前後方向にスライド可能に支持されている。紙幣収納トレイ１６を収納位置１６Ａから前方に引き出すと、その途中位置からスライド式トレイ支持枠３１も一緒に押し出され、このスライド式トレイ支持枠３１の前面に取り付けてある蓋板１４によって封鎖されている紙幣回収口１３が開き、ここから紙幣収納トレイ１６が前方に突出して、紙幣Ｐを回収できる。紙幣収納トレイ１６のみが引き出されるので、紙幣識別ユニット１０の全体を引き出す場合に比べてスライド機構などを小型・コンパクト化できる。【選択図】図４
2008113681.tif 000002
【特許請求の範囲】
【請求項１】
紙幣挿入口から挿入された紙幣を内蔵の紙幣識別ユニットにより識別し、識別結果に基づき、隣接する遊技台で用いる遊技媒体の貸し出し処理を行う遊技台用台間機において、
前記紙幣識別ユニットは、
前記紙幣挿入口が形成されているユニット前面パネルと、
前記紙幣挿入口から挿入された紙幣を識別するために前記ユニット前面パネルの後側に配置されている紙幣識別機と、
識別後の紙幣を収納するために前記紙幣識別機の後側に配置されている紙幣収納トレイと、
前記ユニット前面パネルにおける前記紙幣挿入口の側方に形成されている紙幣回収口と、
前記紙幣収納トレイを、その収納位置から前記紙幣識別機の側方を通り前記紙幣回収口から引き出された引き出し位置までスライド可能な状態で支持しているトレイ支持機構とを有していることを特徴とする遊技台用台間機。
【請求項２】
請求項１において、
前記紙幣回収口を封鎖している蓋部材を有しており、
この蓋部材は前記紙幣収納トレイのスライドに連動して移動し、前記紙幣収納トレイが前記収納位置にある状態では前記紙幣回収口を封鎖し、前記紙幣収納トレイが前記紙幣回収口に向けてスライドすると当該紙幣回収口を開くことを特徴とする遊技台用台間機。
【請求項３】
請求項１において、
前記紙幣回収口を封鎖している蓋部材を有しており、
この蓋部材は、当該紙幣回収口を閉じる閉じ位置と当該紙幣回収口を開ける開き位置との間を移動可能な状態で、前記前面パネルに取り付けられていることを特徴とする遊技台用台間機。
【請求項４】
請求項１ないし３のうちのいずれかの項において、
前記紙幣挿入口は前記蓋部材に形成されていることを特徴とする遊技台用台間機。
【請求項５】
請求項１ないし４のうちのいずれかの項において、
前記紙幣収納トレイを、少なくとも前記収納位置から前記引き出し位置に向けて押し出すための駆動機構を有していることを特徴とする遊技台用台間機。
【発明の詳細な説明】
【技術分野】
【０００１】
本発明は、パチンコ台などの遊技台に隣接配置され、遊技台で遊技するために必要なパチンコ玉などの遊技媒体の貸し出し処理を行う遊技台用台間機に関するものである。更に詳しくは、紙幣により遊技媒体の貸し出しを行うために、紙幣識別機および紙幣収納部を備えた紙幣識別ユニットが内蔵された遊技台用台間機に関するものである。
【背景技術】
【０００２】
紙幣収納部を備えた紙幣識別ユニットを有する遊技台用台間機においては、紙幣識別ユニットの紙幣収納部に収納された紙幣を定期的に回収する必要がある。紙幣識別機と紙幣収納部が遊技台用台間機の幅方向に並んでいる場合には、遊技台用台間機の前面パネルを開き、紙幣収納部から紙幣を前方に取り出すことにより紙幣を回収できる。
【０００３】
ここで、限られたスペースにより多数台の遊技台を配置するために、遊技台用台間機の幅を狭めた場合には、紙幣識別ユニットの紙幣識別機と紙幣収納部を幅方向に並べて配置することができず、紙幣識別機と紙幣収納部を前後方向に縦列状態に配置せざるをえない。この場合には、遊技台用台間機の内部の奥側に配置されている紙幣収納部から紙幣を回収する際に、遊技店の店員などが手を入れることができない、あるいは、手を入れることが困難になる。
【０００４】
そこで、従来においては、紙幣識別機および紙幣収納部が前後方向に縦列状態に配置されている紙幣識別ユニットを、遊技台用台間機の前面から前方に引き出し可能としておき、紙幣の回収に当っては紙幣識別ユニットを引き出して後ろ側の紙幣収納部から簡単に紙幣を取り出せるようにしている。かかる構成の遊技台用台間機は特許文献１、２に開示されている。
【０００５】
特許文献１に開示の遊技機用台間機では、その前面から、紙幣ストック部(紙幣収納部)を備えた紙幣識別装置が収納されている突出部を前方に引き出して、後側の紙幣ストック部も遊技機用台間機の前面から前方に引き出された状態として、紙幣を簡単に回収できるように構成されている。また、引き出された突出部の側面から側方に紙幣ストック部を倒して紙幣の取り出し操作を簡単に行うことができる構成が開示されている。
【０００６】
特許文献２に開示の遊技場用台間機では、紙幣識別機およびスタッカー(紙幣収納部)が台間機本体に対して前方に引き出し可能に配置されており、引き出した状態において、前側の紙幣識別機を外して、あるいは、下端を中心として下方に倒して、後側に位置するスタッカーの前側の開口部を露出させ、この開口部から紙幣を取り出すことができる構成が開示されている。
【特許文献１】特開２００２−９２４号公報
【特許文献２】特開２００２−２６３３５４号公報
【発明の開示】
【発明が解決しようとする課題】
【０００７】
特許文献１、２に開示の紙幣識別ユニットは、その全体を遊技台用台間機から前方に引き出すことができるように、スライド機構によって支持されている。遊技台用台間機の幅をより一層狭くするためには、スライド機構をコンパクトに構成して、紙幣識別ユニットの幅を狭くすることが必要である。また、紙幣識別ユニットの引き出し量を少なくできれば、紙幣の回収作業の効率化も図ることができる。
【０００８】
本発明の課題は、このような点に鑑みて、従来に比べて幅を狭くするのに有利な構造の紙幣識別ユニットを備えた遊技台用台間機を提案することにある。
【０００９】
また、本発明の課題は、紙幣回収時における紙幣識別ユニットの引き出し量を少なくすることのできる構造の紙幣識別ユニットを備えた遊技台用台間機を提案することにある。
【課題を解決するための手段】
【００１０】
上記の課題を解決するために、本発明は、紙幣挿入口から挿入された紙幣を内蔵の紙幣識別ユニットにより識別し、識別結果に基づき、隣接する遊技台で用いる遊技媒体の貸し出し処理を行う遊技台用台間機において、紙幣識別ユニットは、紙幣挿入口が形成されているユニット前面パネルと、紙幣挿入口から挿入された紙幣を識別するためにユニット前面パネルの後側に配置されている紙幣識別機と、識別後の紙幣を収納するために紙幣識別機の後側に配置されている紙幣収納トレイと、ユニット前面パネルにおける紙幣挿入口の側方に形成されている紙幣回収口と、紙幣収納トレイを、その収納位置から紙幣識別機の側方を通り紙幣回収口から引き出された引き出し位置までスライド可能な状態で支持しているトレイ支持機構とを有していることを特徴としている。
【００１１】
本発明の遊技台用台間機の紙幣識別ユニットにおいては、紙幣識別機の後ろ側に配置されている紙幣収納トレイのみを、紙幣識別機の側方のスペースを利用して紙幣回収口から前方に引き出すようにしている。
【００１２】
ユニット全体を引き出す場合に比べて、軽い紙幣収納トレイのみを引き出せばよく、また、紙幣収納トレイの引き出し量も少なくで済む。したがって、紙幣収納トレイをスライド可能な状態で支持しているトレイ支持機構は、従来のユニット全体を引き出し可能に支持している機構に比べて、小型でコンパクトなもので間に合う。また、紙幣識別ユニットの全体が引き出されている場合に比べて、紙幣回収時の所要スペースが少なくて済み、紙幣回収作業の効率化を図ることができる。
【００１３】
ここで、前記紙幣回収口を封鎖するための蓋部材を前記紙幣収納トレイのスライドに連動して移動するようにし、前記紙幣収納トレイが前記収納位置にある状態では前記紙幣回収口を封鎖し、前記紙幣収納トレイが前記紙幣回収口に向けてスライドすると当該紙幣回収口を開けるようにすることができる。例えば、紙幣収納トレイに蓋部材を取り付けておくことができる。このようにすれば、蓋部材を開閉可能に支持する支持機構などが不要になり、また、蓋部材を開閉する操作も不要になる。
【００１４】
勿論、蓋部材を、紙幣回収口を閉じる閉じ位置と当該紙幣回収口を開ける開き位置との間を移動可能な状態で、前面パネルに取り付けておくことも可能である。
【００１５】
また、蓋部材に紙幣挿入口を形成しておくこともできる。このようにすれば、紙幣回収時に紙幣識別機の側も開放状態になるので、その点検作業を併せて行う場合などに便利である。
【００１６】
さらに、紙幣収納トレイを手動操作によって引き出すこともできるが、モータ、プランジャなどの駆動機構を用いて、その収納位置から引き出し位置に向けて押し出すようにすることもできる。勿論、駆動機構によって、収納位置から引き出し位置までスライドさせると共に、引き出し位置から収納位置までスライドさせるようにしてもよい。
【発明の効果】
【００１７】
本発明の遊技台用台間機では、その紙幣識別ユニットにおける紙幣識別機の後ろ側に配置されている紙幣収納トレイのみを、紙幣識別機の側方のスペースを利用して紙幣回収口から前方に引き出すようにしている。したがって、紙幣収納トレイをスライド可能な状態で支持しているトレイ支持機構は従来のユニット全体を引き出し可能に支持している機構に比べて、小型でコンパクトなもので間に合う。よって、従来に比べて、紙幣識別ユニットの小型・コンパクト化に有利であり、その幅を狭くすることができる。また、紙幣収納トレイの引き出し量も、全体を引き出す場合に比べて少なくで済むので、紙幣回収時の所要スペースが少なくて済み、作業の効率化を図ることができる。
【発明を実施するための最良の形態】
【００１８】
以下に、図面を参照して、本発明を適用した遊技台用台間機の実施の形態を説明する。
【００１９】
図１(ａ)および(ｂ)は、本実施の形態に係る遊技台用台間機の紙幣識別ユニットが配置されている部分を示す部分斜視図および部分正面図である。図２(ａ)、(ｂ)および(ｃ)は、紙幣識別ユニットを示す部分斜視図、その概略縦断面図および、その部分の概略横断面図である。
【００２０】
遊技台用台間機１の全体構成は一般的な遊技台用台間機と同様であり、紙幣またはプリペイドカードなどによる入金額に応じた遊技媒体の貸し出し動作を行う。遊技台用台間機１は、遊技店の遊技島を構成している枠体(図示せず)に取り付けられた台間機ホルダ２(図１(ａ)において想像線で示す部分)と、台間機ホルダ２に前方から装着されている台間機本体３を有している。台間機本体３は、扁平な縦長の本体ケース４を備え、この内部に構成部品が組み込まれている。本体ケース４の前面には前面パネル５が取り付けられており、ここに、表示部、操作部(図示せず)などが配列されている。本例では、本体ケース４の上端部分に前方から紙幣識別ユニット１０が装着されている。
【００２１】
紙幣識別ユニット１０は、前面パネル５の上端部分を規定しているユニット前面パネル１１を備えており、このユニット前面パネル１１における幅方向の一方に片寄った位置には上下方向に延びる紙幣挿入口１２が形成され、他方の側には広幅の上下方向に延びる紙幣回収口１３が形成されている。紙幣回収口１３は長方形の蓋板１４によって封鎖されている。
【００２２】
ユニット前面パネル１１の後側には紙幣識別機１５が配置されており、この紙幣識別機１５の後ろ側には紙幣収納トレイ１６が配置されている。紙幣識別機１５および紙幣収納トレイ１６は、前方に開口している前後に長いコの字状のユニット枠１７と、台間機本体３の本体ケース４における左右の側板部分４ａ、４ｂとによって区画される部分に配置されている。ユニット枠１７は後ろ側の垂直枠板部分１７ａと、この上下の端から前方に水平に延びている上下の水平枠板部分１７ｂ、１７ｃとを備えており、これらが左右の側板部分４ａ、４ｂに固定されている。
【００２３】
紙幣識別機１５は、左側の側板部分４ａの側に片寄った位置に配置されており、左右の紙幣ガイド板２１、２２を備え、これらの紙幣ガイド板２１、２２の間に、紙幣挿入口１２から挿入された紙幣Ｐの導入路２３、および、この導入路２３に連続している紙幣搬送路２４が形成されている。紙幣搬送路２４には、当該紙幣搬送路２４に送り込まれた紙幣Ｐを搬送するための紙幣搬送機構２５が配置されている。紙幣搬送機構２５は一対の搬送ベルト２５ａ、２５ｂなどを備えた一般的に使用されている機構が採用されている。また、紙幣搬送路２４には、搬送される紙幣Ｐの光学情報を検出するための３個のホトセンサ２６ａ〜２６ｃおよび紙幣Ｐの磁気情報を検出するための磁気ヘッド２７が配置されている。これらの出力に基づき紙幣Ｐの真偽および種類が識別される。紙幣識別機１５の左側の紙幣ガイド板２１は、他方の紙幣ガイド板２２よりも後方に延びており、このガイド板部分２１ａに沿って、識別後の紙幣Ｐが後方に送り出される。
【００２４】
紙幣識別機１５の後側の紙幣収納トレイ１６は、このガイド板部分２１ａの側に開口した扁平な直方体形状をしている。ガイド板部分２１ａに送り出された識別後の紙幣Ｐは、不図示の機構によって、台間機本体３の幅方向に押されて、紙幣収納トレイ１６内に収納される。
【００２５】
この紙幣収納トレイ１６は、後方に開口している前後方向に長いコの字状のスライド式トレイ支持枠３１によって前後方向にスライド可能な状態で支持されている。スライド式トレイ支持枠３１は、前側の垂直枠板部分３１ａと、この上下の端から後方に水平に延びる水平枠板部分３１ｂ、３１ｃとを備えている。前側の垂直枠板部分３１ａの前面には紙幣回収口１３を封鎖している蓋板１４が取り付けられている。上下の水平枠板部分３１ｂ、３１ｃは、紙幣識別機１５の側方、すなわち、紙幣識別機１５と台間機本体４の右側の側板部分４ｂとの間を通って前後方向に延びており、紙幣収納トレイ１６は、これら上下の水平枠板部分３１ｂ、３１ｃに沿って前後方向にスライド可能である。
【００２６】
ここで、スライド式トレイ支持枠３１は、ユニット枠１７の上下の水平枠板部分１７ｂ、１７ｃの間に配置されており、これらの水平枠板部分１７ｂ、１７ｃによって、前後方向にスライド可能な状態で支持されている。したがって、紙幣収納トレイ１６はスライド式トレイ支持枠３１の上下の水平枠板部分３１ｂ、３１ｃに沿って前後にスライド可能であり、スライド式トレイ支持枠３１もユニット枠１７の上下の水平枠板部分１７ｂ、１７ｃに沿って前後にスライド可能である。
【００２７】
紙幣収納トレイ１６は、図２(ｃ)に示す収納位置１６Ａの位置から前方にスライドすると、その前端面１６ａが紙幣回収口１３を封鎖している蓋板１４に当る。紙幣収納トレイ１６をさらに前方にスライドさせると、蓋板１４が取り付けられているスライド式トレイ支持枠３１も紙幣収納トレイ１６と一緒に前方にスライドする。この結果、紙幣回収口１３が開き、ここを介して、紙幣収納トレイ１６が外方に所定量だけ引き出された状態を形成できる。紙幣収納トレイ１６をスライドさせるための駆動機構は図示を省略してあるが、モータを駆動源とした機構を用いることができる。この代わりにプランジャを用いて、紙幣回収口１３が開くように、紙幣収納トレイ１６を前方に所定量だけスライドさせ、この後は手動によって紙幣収納トレイ１６を引き出すようにすることもできる。あるいは、紙幣収納トレイ１６をロック機構によって収納位置１６Ａにロックし、ロックを解除すると、ばね部材によって紙幣収納トレイ１６が前方にスライドして、蓋板１４を押して紙幣回収口１３から前方に所定量だけ突出するように構成し、手動により紙幣収納トレイ１６の引き出し、および収納位置１６Ａに戻す操作を行うようにしてもよい。
【００２８】
次に、図３および図４も参照して、紙幣識別ユニット１０の動作を説明する。図３(ａ)、(ｂ)および(ｃ)は、紙幣収納トレイ１６が紙幣で一杯になった状態を示す部分斜視図、その概略縦断面図および、その概略横断面図である。図４(ａ)、(ｂ)および(ｃ)は、紙幣回収時の状態を示す部分斜視図、その概略縦断面図および、その概略横断面図である。
【００２９】
まず、紙幣挿入口１２から挿入された紙幣Ｐは紙幣識別機１５の紙幣搬送機構２５によって紙幣搬送路２４に沿って後方に搬送される。搬送される紙幣Ｐの光学情報が３個のホトセンサ２６ａ〜２６ｃによって読み取られ、紙幣Ｐの磁気情報が磁気ヘッド２７によって読み取られる。読み取られた情報に基づき挿入された紙幣Ｐの真偽および種類が識別される。受け入れ可能な紙幣であると識別された場合には、当該紙幣Ｐはガイド板部分２１ａに沿って後方に送り出され、紙幣識別機１５の後側に位置している紙幣収納トレイ１６の開口部１６ｂに対峙する位置に到り、不図示の機構によって台間機本体３の幅方向に押されて紙幣収納トレイ１６に収納される。この動作を繰り返して、図３に示すように、紙幣収納トレイ１６が紙幣Ｐで一杯になる。
【００３０】
紙幣収納トレイ１６が紙幣Ｐで一杯になると、紙幣収納トレイ１６を台間機本体３から前方に引き出して紙幣を回収する作業が行われる。紙幣回収時には、所定の操作によって、不図示の駆動機構によって紙幣収納トレイ１６を図３(ｃ)に示す収納位置１６Ａから前方に送り出す。紙幣収納トレイ１６がスライド式トレイ支持枠３１の上下の水平枠板部分３１ｂ、３１ｃに沿って前方にスライドしていくと、その前端面１６ａが、紙幣回収口１３を封鎖している蓋板１４に当る。これ以後は、紙幣収納トレイ１６は、蓋板１４が取り付けられているスライド式トレイ支持枠３１を前方に押し出す。この結果、図４に示すように、紙幣収納トレイ１６およびスライド式トレイ支持枠３１が一緒に、紙幣回収口１３から前方に引き出された状態になる。
【００３１】
紙幣収納トレイ１６が図４に示す引き出し位置１６Ｂまで引き出された後は、そこに収納されている紙幣Ｐを取り出して、当該紙幣収納トレイ１６を空にする。紙幣Ｐは、例えば、紙幣収納トレイ１６の底面を規定している底板部分１６ｃに開けた穴１６ｄに指などを入れて、収納されている紙幣Ｐを開口部１６ｂから横方に押し出して、斜め前方に引き出すことにより回収できる。
【００３２】
この後は、不図示の駆動機構によって紙幣収納トレイ１６を後方に引き込む。紙幣収納トレイ１６とスライド式トレイ支持枠３１の間には、紙幣収納トレイ１６が所定量だけ引き込まれるとスライド式トレイ支持枠３１に前方から係合する係合機構(図示せず)が形成されており、紙幣収納トレイ１６の引き込み動作の途中から、当該紙幣収納トレイ１６とスライド式トレイ支持枠３１が一緒に台間機本体３の内部に引き込まれる。紙幣収納トレイ１６が再び図２の収納位置１６Ａに戻ると、スライド式トレイ支持枠３１の前端に取り付けられている蓋板１４が再び紙幣回収口１３を封鎖した状態に戻る。
【００３３】
以上説明したように、本例の遊技台用台間機１では、その紙幣識別ユニット１０に収納されている紙幣Ｐを回収する際に、紙幣識別機１５の後ろ側に配置されている紙幣収納トレイ１６のみを紙幣識別機１５の側方のスペースを利用して紙幣回収口１３から前方に引き出すようにしている。したがって、紙幣収納トレイ１６をスライド可能な状態で支持しているスライド式トレイ支持枠３１は、従来のユニット全体を引き出し可能に支持している機構に比べて極めた簡単なものでよく、狭い幅の紙幣識別ユニットを構築するのに極めて有利である。
【００３４】
また、紙幣収納トレイ１６のみを引き出せばよいので、紙幣識別ユニット１０の全体を引き出す場合に比べて、遊技台用台間機１の前面からの引き出し量が少なくて済む。よって、紙幣回収時の所要スペースが少なくて済み、紙幣回収作業も円滑に行うことができる。
【００３５】
さらに、本例では、紙幣収納トレイ１６によって押し出されるスライド式トレイ支持枠３１の前面に蓋板１４を取り付けてある。したがって、紙幣収納トレイ１６を引き出すと蓋板１４も移動して紙幣回収口１３が開くので、蓋板１４を開閉する操作が不要となり、紙幣回収作業が簡単になる。
【００３６】
なお、蓋板１４を操作して紙幣回収口１３を開閉することも可能である。例えば、図５(ａ)に示すように、蓋板１４Ａをユニット前面パネル１１にヒンジ機構４１を介して左右に開閉可能に取り付け、不図示のロック機構によって蓋板１４を閉じ位置にロックしておいてもよい。また、図５(ｂ)に示すように、蓋板１４Ｂを上下にスライドさせて紙幣回収口１３を開閉するようにしてもよい。
【００３７】
一方、上記の例では紙幣回収口１３と紙幣挿入口１２をユニット前面パネル１１に形成してある。この代わりに、紙幣回収口１３を広幅としておき、紙幣挿入口１２を蓋板１４に形成してもよい。
【図面の簡単な説明】
【００３８】
【図１】(ａ)および(ｂ)は、本発明を適用した遊技台用台間機の紙幣識別ユニットが配置されている部分を示す部分斜視図および部分正面図である。
【図２】(ａ)、(ｂ)および(ｃ)は、紙幣識別ユニットの部分斜視図、その概略縦断面図および、その概略横断面図である。
【図３】(ａ)、(ｂ)および(ｃ)は、紙幣が一杯になった状態を示す部分斜視図、その概略縦断面図および、その概略横断面図である。
【図４】(ａ)、(ｂ)および(ｃ)は、紙幣回収時の状態を示す部分斜視図、その概略縦断面図および、その概略横断面図である。
【図５】(ａ)および(ｂ)は紙幣回収口を封鎖している蓋板の開閉機構の例を示す説明図である。
【符号の説明】
【００３９】
１    遊技台用台間機
２    台間機ホルダ
３    台間機本体
４    本体ケース
４ａ、４ｂ  側板部分
５    前面パネル
１０  紙幣識別ユニット
１１  ユニット前面パネル
１２  紙幣挿入口
１３  紙幣回収口
１４、１４Ａ、１４Ｂ  蓋板
１５  紙幣識別機
１６  紙幣収納トレイ
１６Ａ  収納位置
１６Ｂ  引き出し位置
１６ａ  前端面
１６ｂ  開口部
１６ｃ  底板部分
１６ｄ  穴
１７  ユニット枠
１７ａ  垂直枠板部分
１７ｂ、１７ｃ  水平枠板部分
２１、２２  紙幣ガイド板
２１ａ  ガイド板部分
２３  導入路
２４  紙幣搬送路
２５  紙幣搬送機構
２５ａ、２５ｂ  搬送ベルト
２６ａ〜２６ｃ  ホトセンサ
２７  磁気ヘッド
３１  スライド式トレイ支持枠
３１ａ  垂直枠板部分
３１ｂ、３１ｃ  水平枠板部分
４１  ヒンジ機構
Ｐ    紙幣
【図１】
2008113681.tif 000003
【図２】
2008113681.tif 000004
【図３】
2008113681.tif 000005
【図４】
2008113681.tif 000006
【図５】
2008113681.tif 000007